(57)【要約】【課題】  交換を容易としたベッド用シーツを提供する。【解決手段】ベッド用シーツの天井布１に、分断された側面布２〜５と、その角部にゴムバンドａ〜ｄとを設置した。前記シーツの分断された側面布２〜５の設置は、その形態から、折りたたみやすさ、ベッドメーキングの美観の向上、マットレスとベッド台との間の埃の蓄積防止をもたらした。また前記シーツ角部におけるゴムバンドａ〜ｄの設置は、マットレスを高く持ち上げること無しの設置の容易さや、また市販のマットレスへの汎用性をもたらした。【選択図】  図１
2009011665.tif 000002
【特許請求の範囲】
【請求項１】
ベッド上に載置されたマットレスの上面、左右の側面、および後面を覆うようにマットレス上に敷設されるベッド用シーツであって、
前記マットレスの上面を覆う略長方形の天井布の少なくとも左右および後方に、それぞれ、幅広な長方形状の側面布が延設されているとともに、
前記天井布の裏面の各コーナー際において、帯状のゴムバンドが、天井布の隣り合う２辺に跨って懸架された状態となるように縫着されていることを特徴とするベッド用シーツ。
【請求項２】
天井布の裏面の各コーナー際において、天井布と左右の側面布との間に、それぞれ取付布が縫い付けられており、各ゴムバンドが、それらの取付布を介して縫着されていることを特徴とする請求項１に記載のベッド用シーツ。
【請求項３】
左右の側面布の後縁に折返し布が延設されていることを特徴とする請求項１または２に記載のベッド用シーツ。
【発明の詳細な説明】
【技術分野】
【０００１】
本発明は、マットレスへの取り付けのために、シーツ天井布に固定したゴムバンドを用いることによって、交換を容易としたベッド用シーツに関するものである。
【背景技術】
【０００２】
一般の家庭で使用されている箱型ベッド用シーツは、長方形の天井布と、天井布から延設され、くるむように一体化した側面布とから成っている。
特許文献１に開示された発明は、上記一般の箱型ベッド用シーツの裏側角部に伸縮可能な三角布３を縫着するとともに、該シーツ側面布の裏側下縁全周、又はその一部にゴム紐を設けたシーツを提供するものである。
【０００３】
【特許文献１】登録実用新案第３００５８０３号公報
【発明の開示】
【発明が解決しようとする課題】
【０００４】
しかしながら、特許文献１のシーツ角部の三角布とシーツ裏側に設けられたゴム紐の構成を採用しても、重いマットレスを持ち上げて三角布をマットレスの裏側に設置する作業が重労働であり、続く側面布をマットレスとベッド台の間に挟み込む作業は非常に煩雑である。
また、市販のベッド用マットレスの厚みには種々のものが存在するため、自分のマットレスの厚みが該シーツの適用範囲内でなければ、使用することができない。
さらに、該シーツは、天井布と側面布とから成る袋状であるため、側面布が邪魔でコンパクトなサイズまで折りたためず保管に場所を取ってしまう。
さらにまた、該シーツを用いたベッドメイキングでは、マットレスとベッド台との境目が見えてしまうため、美観に優れないという問題もある。
【０００５】
そこで、本発明は、上記問題を解決すべくなされたものであって、マットレスを高く持ち上げずともシーツを取り付けることができ、またコンパクトなサイズまで折りたたむことにより保管に便利で、さらに美観にも優れたベッド用シーツを提供しようとするものである。
【課題を解決するための手段】
【０００６】
即ち、請求項１に記載された発明は、ベッド上に載置されたマットレスの上面、左右の側面、および後面を覆うようにマットレス上に敷設されるベッド用シーツであって、前記マットレスの上面を覆う略長方形の天井布の少なくとも左右および後方に、それぞれ、幅広な長方形状の側面布が延設されているとともに、前記天井布の裏面の各コーナー際において、帯状のゴムバンドが、天井布の隣り合う２辺に跨って懸架された状態となるように縫着されていることを特徴とするベッド用シーツである。
【０００７】
請求項２に記載された発明は、天井布の裏面の各コーナー際において、天井布と左右の側面布との間に、それぞれ取付布が縫い付けられており、各ゴムバンドが、それらの取付布を介して縫着されていることを特徴とする請求項１に記載のベッド用シーツである。
【０００８】
請求項３に記載された発明は、左右の側面布の後縁に折返し布が延設されていることを特徴とする請求項１または２に記載のベッド用シーツである。
【発明の効果】
【０００９】
請求項１に記載のベッド用シーツは、ゴムバンドがシーツ天井布の角部付近に設置されており、また、マットレスとベッド台の間に挟み込む面積が小さいため、わざわざ重いマットレスを高く持ち上げる必要がなく、わずかにマットレスを持ち上げるだけで、ゴムバンドをマットレス角部に掛けてシーツをセットすることができる。よって、他人の助けを借りずに、簡単且つきれいにベッドメイキングをすることが可能である。
さらに、このベッド用シーツは、シーツの側面布が３つ又は４つの部分に分断されているため、側面布が一体形成されている市販のシーツと比較すると、シーツ角部の余計なだぶつきが無く、それぞれの辺を完全に平らに折りたたむことができ、そのため、シーツ全体を非常にコンパクトなサイズまで折りたたむことが可能となり、場所を取らずに保管することが可能となる。
また、このベッド用シーツは、市販の基準より厚みのあるマットレスに対しても、ゴムバンドによって丁度良くフィットさせることが可能なため、殆どのマットレスに対応することが可能になる。      
さらに、このベッド用シーツは、シーツの側面布をマットレスの厚みより長く形成することで、マットレスとベッド台との境目を覆い隠すことができ、それによって、境目の段差に埃がたまることがなく、加えてきれいな美観を提供することが可能となる。
【００１０】
請求項２に記載のベッド用シーツは、取付布を介してゴムバンドを天井布に固定するため、ゴムバンドをマットレス角部に掛けた際に生じる、ゴムバンドから天井布に対する収縮力が分散され、天井布に引きつりが生じることを効果的に抑制し、装着後の見た目を良くすることが可能となる。
【００１１】
請求項３に記載のベッド用シーツは、左右の側面布の下側に折返し布が延設されているため、左右側面布と下側面布との切れ目からマットレスが覗くことを防止し、きれいな美観を提供することが可能となる。
【発明を実施するための最良の形態】
【００１２】
以下、本発明に係るシーツの実施形態について、図面を参照しながら詳細に説明する。
【００１３】
〈ベッド用シーツの構成〉
図１は本発明に係るベッド用シーツ１０を示したものであり、ベッド用シーツ１０は、略長方形の天井布１に、該天井布１を取り囲むように側面布として機能する側面布２，側面布３、側面布４及び側面布５を縫い付けると共に、該天井布１の角部付近にマットレスに着脱可能なゴムバンドａ〜ｄを取り付けて成るものである。
なお、以下に出てくる寸法は、縫いしろや折返し部分を含まない、完成品におけるサイズである。
【００１４】
天井布１は、デニム素材綿の生地を用い、市販の標準サイズのマットレスに対応させた縦幅２０７０ｍｍ、横幅１０２０ｍｍで形成されている。
また、本実施例はベッドヘッドがないタイプのベッドに適した、側面布が４つあるシーツの場合であり、該天井布１の上辺１２、下辺１３、左辺１４及び右辺１５のそれぞれに沿って側面布２，３，４及び５が固着されている。
【００１５】
側面布２は、天井布１と同じデニム素材綿により形成されている。また側面布２は、ベッド用シーツ１０を正面から見た際に、天井布１の前方に位置し、左右の長さが天井布１の左右の長さとほぼ等しい１０２０ｍｍで、上下の長さが２５０ｍｍである。
側面布３は、天井布１と同じデニム素材綿により形成されている。また側面布３は、ベッド用シーツ１０を正面から見た際に、天井布１の後方に位置し、左右の長さが天井布１の左右の長さとほぼ等しい１０２０ｍｍで、上下の長さが２５０ｍｍである。
側面布４は、天井布１と同じデニム素材綿により形成されている。また側面布４は、ベッド用シーツ１０を正面から見た際に、天井布１の左側に位置し、左右の長さが２５０ｍｍで、上下の長さが、天井布１の上下の長さとほぼ等しい２０７０ｍｍに加え、側面布の後縁に折返し布４ａが２５０ｍｍ延設されている。
側面布５は、天井布１と同じデニム素材綿により形成されている。また側面布５は、ベッド用シーツ１０を正面から見た際に、天井布１の右側に位置し、左右の長さが２５０ｍｍで、上下の長さが、天井布１の上下の長さとほぼ等しい２０７０ｍｍに加え、側面布の後縁に折返し布５ａが２５０ｍｍ延設されている。
なお、側面布２、３、４、及び５はそれぞれ分断して取り付けられているため、側面布２と側面布４との間、側面布２と側面布５との間、側面布３と側面布４との間，及び側面布３と側面布５との間には、切れ目が生じている。
当該側面布２〜５は、強度を確保するために、天井布１と側面布２〜５のいずれかの表側同士を内側に合わせて、端から３０ｍｍの位置を裏側から一重縫いした後、縫い目を中心に天井布と側面布の表側を表に戻し、再度縫い目から５ｍｍの位置を表側から裾止めすることによって、天井布１に縫い付けられている。
【００１６】
ゴムバンドａ〜ｄは、長さ５２０ｍｍ、幅２５ｍｍの伸縮性を有した帯状の紐で、両末端は４５度の角度に切断されており、ベッド用シーツ１０を正面から見た際に、天井布１の左上角部、左下角部、右上角部及び右下角部の周辺に設置されている。
そして、天井布１の裏面の左上のコーナー際においては、ゴムバンドａが、天井布１の左辺１４から上辺１２との間に跨って懸架された状態になっており、天井布１の裏面の左下のコーナー際においては、ゴムバンドｂが、天井布１の左辺１４から下辺１３との間に跨って懸架された状態になっている。
また、天井布１の裏面の右上のコーナー際においては、ゴムバンドｃが、天井布１の右辺１５から上辺１２との間に跨って懸架された状態になっており、天井布１の裏面の右下のコーナー際においては、ゴムバンドｄが、天井布１の右辺１５から下辺１３との間に跨って懸架された状態になっている。
ゴムバンドａは、左下末端が左辺１４の角部から内側１５０ｍｍの位置で、右上末端が上辺１２の角部から内側１５０ｍｍの位置に縫着されている。
ゴムバンドｂは、左上末端が左辺１４の角部から内側１５０ｍｍの位置で、右下末端が下辺１３の角部から内側１５０ｍｍの位置に縫着されている。
ゴムバンドｃは、左上末端が上辺１２の角部から内側１５０ｍｍの位置で、右下末端が右辺１５の角部から内側１５０ｍｍの位置に縫着されている。
ゴムバンドｄは、左下末端が下辺１３の角部から内側１５０ｍｍの位置で、右上末端が右辺１５の角部から内側１５０ｍｍの位置に縫着されている。
ゴムバンドａ〜ｄは、天井布１と側面布２〜５のいずれかとを縫合する際に、同時に側面布と天井布にゴムバンドを重ね、三部材を一緒に一重縫いし、裏返した後さらに３部材を一緒に裾止めした後、さらに裏面側に出たゴムバンドの縫いしろを、天井布１の縫いしろ、あるいは天井布１と側面布２〜５との縫いしろに縫着することによって固定されている。
【００１７】
〈ベッド用シーツの使用方法〉  
図２は、上述の如き本実施形態に係るベッド用シーツ１０を用いてベッドメイキングする際の過程を表した斜視図である。
（ａ)の如く、シーツの天井布１をベッド７上のマットレス６の上に載置し、次に（ｂ)のように、側面布２〜５を上げたまま、ゴムバンドａ〜ｄをベッド台７とマットレス６の間に挟み込み、マットレスの４つの角部にゴムバンドａ〜ｄを引っ掛ける。続けて（ｃ)及び図３の如く、側面布４，５を下ろして、折返し布４ａ，５ａを内側に折り込む。最後に（ｄ)のように、側面布２及び側面布３を下ろして、ベッドメイキングが完了する。
【００１８】
上述の如き本実施形態に係るベッド用シーツ１０においては、天井布１の前後左右を取り囲むように側面布２、側面布３、側面布４及び側面布５を延設形成し、また天井布１の４つの角部に、天井布１周辺の２辺間に傾斜状にゴムバンドａ〜ｄを懸架している。
したがって、マットレス６を高くまで持ち上げること無しに、その角部にゴムバンドａ〜ｄを掛けてベッド用シーツ１０をセットすることができ、側面布２〜５の分断で形成された２辺間の切れ目によって、シーツ全体をコンパクトなサイズまで折りたたむことができる。また、ゴムバンドａ〜ｄが収縮性を有しているため、市販マットレスへの汎用性が高くなり、側面布をマットレスの厚みより長く形成することによって、マットレス６とベッド台７の間の埃の蓄積の防止及び美観を向上させることができる。
【００１９】
〈変更例〉
図４は、変更例を示したものであり、ゴムバンドａ〜ｄを天井布１に固定させるため、別布によって形成された取付布Ａ〜Ｄを用いた場合である。ゴムバンドａ〜ｄを取付布Ａ〜Ｄを介して間接的に天井布１に固定することによって、天井布１に対するゴムバンドａ〜ｄの収縮力が分散し、天井布１に引きつりが起こることを抑制できる。
図４で示したベッド用シーツ１０においては、天井布１の左辺１４、右辺１５上に、デニム素材の略長方形に形成した取付布Ａ〜Ｄを設置し、ゴムバンドａ〜ｄの一方の末端を取付布Ａ〜Ｄに縫着させ間接的に天井布１に固定させるようになっている。
取付布Ａ〜Ｄは、天井布１に縫いつけられた上下の辺が３００ｍｍ、左右の辺が７０ｍｍで、天井布１と側面布４または５とを縫合する際、天井布と側面布とは逆方向から、両者の間に挟み込んで一重縫いし、その後３部材を一緒に裾止めされている。
なお、天井布１、側面布４，５と取付布Ａ〜Ｄとの縫合の方法は、強度を確保出来るのであれば、この上記実施形態の縫着方法に限らないことは勿論である。
【００２０】
また、天井布１に取り付けられている側面布２〜５は、ベッドがベッドヘッドを有すタイプであれば、マットレス６とベッドヘッドとの間で側面布２がもたついてしまうため、側面布２を無くした３辺の側面布から成るシーツが適しており、ベッドがマットレス６のみのタイプであれば、本実施例で示した４つの側面布２〜５を有したシーツが適している。
【００２１】
さらに、上記変更例では、取付布Ａ〜Ｄの大きさは、その幅や長さ又は素材は本実施形態では同一であるが、ゴムバンドａ〜ｄによる引きつりが解消されるのであれば、異なってもよい。
なお、ゴムバンドａ〜ｄによる縫着部分の引きつり解消のため、本実施例の如くゴムバンドａ〜ｄを別布によって形成された取付布Ａ〜Ｄに縫着してもよいが、シーツ天井布１に直接何らかの支持体（適当な面積の別布や固定テープ等を固定させたもの）を固着し、該支持体にゴムバンドａ〜ｄを縫い付けてもよい。
【００２２】
さらにまた、上記形態のベッド用シーツ１０は、左右の側面布の後端に折返し布４ａ，５ａを延設させることで、２つの側面布間に生じるすきまを覆うことができるが、本変更例においては、側面布４又は側面布５の上下の長さは、天井布１の上下の長さ２０７０ｍｍに加えて２５ｍｍ程度延設すればよく、シーツの折りたたみ時に邪魔にならない長さの範囲内で調節するのが好ましい。
【００２３】
またさらに、本発明によれば、マットレス６の側面をカバーするための側面布２〜５は、マットレス６とベッド台７との境目を覆う長さ以上であれば、埃よけの目的や、境目を覆うことによる美観アップの目的は果たすことができ、通常は、市販のマットレスの高さに５０〜２００ｍｍ加えたもので十分であるが、さらに装飾効果を期待するならば、所謂ベッドスカートのように、垂れ下がり部分が床につく程度まで長くしてもよい。
【００２４】
加えて、上記形態では、ゴムバンドａ〜ｄはシーツの天井布１の上辺１２、下辺１３、左辺１４又は右辺１５に直接的に、もしくは取付布Ａ〜Ｄを介して間接的に縫着されているが、十分に固定の強度を維持できるならば、スナップボタンや面ファスナー等による仮止めされたものでもよい。
ゴムバンドａの端縁が縫着される範囲は、天井布１の角部末端から、上辺１２は５０〜２００ｍｍ内側の位置に、左辺１４は５０〜５００ｍｍ内側の位置に、好ましくは、上辺１２は７０〜１５０ｍｍ内側の位置に、左辺１４は１００〜４００ｍｍ内側の位置がよい。
ゴムバンドｂの端縁が縫着される範囲は、天井布１の角部末端から、下辺１３は５０〜２００ｍｍ内側の位置に、左辺１４は５０〜５００ｍｍ内側の位置に、好ましくは、下辺１３は７０〜１５０ｍｍ内側の位置に、左辺１４は１００〜４００ｍｍ内側の位置がよい。
ゴムバンドｃの端縁が縫着される範囲は、天井布１の角部末端から、上辺１２は５０〜２００ｍｍ内側の位置に、右辺１５は５０〜５００ｍｍ内側の位置に、好ましくは、上辺１２は７０〜１５０ｍｍ内側の位置に、右辺１５は１００〜４００ｍｍ内側の位置がよい。
ゴムバンドｄの端縁が縫着される範囲は、天井布１の角部末端から、下辺１３は５０〜２００ｍｍ内側の位置に、右辺１５は５０〜５００ｍｍ内側の位置に、好ましくは、下辺１３は７０〜１５０ｍｍ内側の位置に、右辺１５は１００〜４００ｍｍ内側の位置がよい。
【００２５】
また加えて、本発明によれば、ベッド用シーツ１０の素材としては、耐久性と、マットレス６（又は中敷き）に対する摩擦係数の高さを考慮すると、デニム素材綿が最適と思われるが、特に限定はされず、同様の性質を有する別素材でもよい。その例として、木綿、麻、羊毛、絹等の天然繊維や、ポリエステル、レーヨン、ナイロン等の合成繊維中の一種又は二種以上を用いてなる織物や編物が挙げられる。また、美観を優先させるならば、ベッド用シーツ１０の天井布１のみにそのような素材を用いればよく、前記側面布２〜５はより装飾性を有する別素材の布を用いてもよい。
【００２６】
さらに加えて、本実施例はシングルベッドサイズ用の場合について示してあるが、ダブルベッドサイズ用の場合やキングベッドサイズ用の場合にはそれぞれに適した寸法に形成されることは勿論である。
【図面の簡単な説明】
【００２７】
【図１】本発明に係るベッド用シーツの平面図である。
【図２】（ａ) 〜（ｄ)は、本発明に係るベッド用シーツを用いてベッドメイキングした実施例を示す斜視図である。
【図３】本発明に係るベッド用シーツ１０の右下角部付近の拡大図である。
【図４】本発明の変更例に係るベッド用シーツ１０の平面図である。
【符号の説明】
【００２８】
１・・天井布、２、３、４、５・・側面布、１０・・ベッド用シーツ、１２・・天井布上辺、１３・・天井布下辺、１４・・天井布左辺、１５・・天井布右辺、４ａ、５ａ・・折返し布、ａ、ｂ、ｃ、ｄ・・ゴムバンド。
【図１】
2009011665.tif 000003
【図２】
2009011665.tif 000004
【図３】
2009011665.tif 000005
【図４】
2009011665.tif 000006